(57)【要約】【課題】  ユーザの使用状況へ対応可能とし、専用の受光素子・受光回路を実装することなく、表示部のバックライトの輝度を可変に調節可能とする装置及び方法の提供。【解決手段】  第１のカメラ（１）と第２のカメラ（５）を備え、第１及び第２のカメラからそれぞれ入力したデータに基づき、第１、第２の明るさデータをそれぞれ導出する光量計算部（２１）と、明るさデータと輝度設定データの対応を記憶した輝度設定記憶部（３１）と、第１、第２の明るさデータのうち有効なデータを判定して選択し、前記選択された明るさのデータに基づき、輝度設定記憶部（３１）を検索して輝度設定データを取得する輝度検索手段（２２）と、を備え、前記輝度設定データにより、バックライト（４２）の輝度を調節し、表示部（４１）の明るさを調節する。【選択図】            図４
2005286417.tif 000002
【特許請求の範囲】
【請求項１】
撮像手段と、
表示部と、
前記表示部を照射し輝度が可変とされるバックライトと、
明るさのデータと輝度設定データの対応を記憶する輝度設定記憶部と、
前記撮像手段から入力したデータに基づき、明るさのデータを導出する光量計算手段と、
前記光量計算手段で導出された明るさのデータに基づき、前記輝度設定記憶部を検索して輝度設定データを取得する輝度検索手段と、
を備え、
前記輝度設定データにより前記バックライトの輝度を調節し前記表示部の明るさを調節する、ことを特徴とする携帯端末。
【請求項２】
複数の撮像手段と、
表示部と、
前記表示部を照射し輝度が可変とされるバックライトと、
明るさのデータと輝度設定データの対応を記憶する輝度設定記憶部と、
前記複数の撮像手段からそれぞれ入力したデータに基づき、前記輝度設定記憶部の記憶内容を参照して、輝度設定データを取得する輝度検索手段と、
を備え、前記輝度設定データにより前記バックライトの輝度を調節し前記表示部の明るさを調節する、ことを特徴とする携帯端末。
【請求項３】
複数の撮像手段と、
表示部と、
前記表示部を照射し輝度が可変とされるバックライトと、
明るさデータと輝度設定データの対応を記憶した輝度設定記憶部と、
前記複数の撮像手段からそれぞれ入力したデータに基づき、前記複数の撮像手段のそれぞれに対応して複数の明るさデータを導出する光量計算手段と、
前記複数の明るさデータのうち有効なデータを判定して選択し、前記選択された明るさのデータに基づき、前記輝度設定記憶部を検索して輝度設定データを取得する輝度検索手段と、
を備え、前記輝度設定データにより前記バックライトの輝度を調節し前記表示部の明るさを調節する、ことを特徴とする携帯端末。
【請求項４】
前記複数の撮像手段が、前記表示部正面と同じ向きに配設される第１の撮像手段と、前記表示部正面と反対の向きに配設される第２の撮像手段とを含む、ことを特徴とする請求項２又は３記載の携帯端末。
【請求項５】
前記輝度設定記憶部の記憶内容が可変に設定自在とされてなる、ことを特徴とする請求項１乃至３のいずれか一に記載の携帯端末。
【請求項６】
撮像手段と、
表示部と、
前記表示部を照射し輝度が可変とされるバックライトと、
を備えた携帯端末のバックライト調節方法であって、
明るさのデータと輝度設定データの対応を輝度設定記憶部に記憶しておき、
前記撮像手段から入力したデータに基づき、明るさのデータを導出する工程と、
前記導出された明るさのデータに基づき、前記輝度設定記憶部を検索して輝度設定データを取得する工程と、
前記輝度設定データにより前記バックライトの輝度を調節し、前記表示部の明るさを調節する工程と、
を含む、ことを特徴とする携帯端末のバックライト調節方法。
【請求項７】
複数の撮像手段と、
表示部と、
前記表示部を照射し輝度が可変とされるバックライトと、
を備えた携帯端末のバックライト調節方法であって、
前記複数の撮像手段からそれぞれ入力したデータに基づき、明るさのデータと輝度設定データの対応を輝度設定記憶部を参照して、輝度設定データを取得する工程と、
前記輝度設定データにより前記バックライトの輝度を調節し前記表示部の明るさを調節する工程と、
を含む、ことを特徴とする携帯端末のバックライト調節方法。
【請求項８】
複数の撮像手段と、
表示部と、
前記表示部を照射し輝度が可変とされるバックライトと、
を備えた携帯端末のバックライト調節方法であって、
明るさのデータと輝度設定データの対応を輝度設定記憶部に記憶しておき、
前記複数の撮像手段からそれぞれ入力したデータに基づき、前記複数の撮像手段のそれぞれに対応して複数の明るさデータを導出する工程と、
前記複数の明るさデータのうち有効なデータを判定して選択する工程と、
前記選択された明るさのデータに基づき、前記輝度設定記憶部を検索して輝度設定データを取得する工程と、
前記輝度設定データにより前記バックライトの輝度を調節し前記表示部の明るさを調節する工程と、
を含む、ことを特徴とする携帯端末のバックライト調節方法。
【請求項９】
前記複数の撮像手段が、前記表示部正面と同じ向きに配設される第１の撮像手段と、前記表示部正面と反対の向きに配設される第２の撮像手段とを含む、ことを特徴とする請求項７又は８記載の携帯端末のバックライト調節方法。
【請求項１０】
前記輝度設定記憶部の記憶内容が可変に設定自在とされてなる、ことを特徴とする請求項６乃至８のいずれか一に記載の携帯端末のバックライト調節方法。
【発明の詳細な説明】
【技術分野】
【０００１】
本発明は、カメラの機能を有する携帯端末に関し、特にバックライト自動調節技術の構成及び方法に関する。
【背景技術】
【０００２】
携帯電話機等の携帯端末において、表示部の液晶ディスプレを照射するバックライトの輝度が一定の場合、周囲の明るさによっては、文字が見にくい等の問題がある。
【０００３】
そこで、従来の携帯端末では、例えば専用の受光素子・受光回路を実装する等して、周囲の明るさを測定し、バックライトの輝度の制御が行われている。
【０００４】
バックライト自動調節機能に関する刊行物として例えば下記記載のものが知られてる。
【０００５】
後記特許文献１には、携帯電話機の周辺の明るさを検出する光センサにより、周囲の明るさに応じてバックライトに供給する電源を変えることで、バックライトの輝度を制御する構成が記載されている。しかしながら、光センサを用いて周囲の明るさを測定する構成の場合、専用の回路を実装しなければならず、コスト面においても無駄が発生する。また、受光素子・受光回路による輝度の自動調節においても、制御の仕方は、一意に決められた明るさに調節されていた。
【０００６】
また、光センサの代わりにカメラを使用する技術として、例えば後記特許文献２には、カメラ付き携帯電話機において、バックライト用のＬＥＤが液晶ディスプレイを照射する照射レベルを、カメラにおける露出に応じた蓄積時間に基づいて調整することで、専用部品を設けることなく、バックライトが液晶ディスプレイを照射する照射レベルを周期の明るさに応じて自動調節可能とした構成が開示されている。しかしながら、輝度の調整データはプログラム化されており、携帯電話の使用者が任意に設定を記憶させることができない。
【０００７】
また、後記特許文献３には、カメラ付き移動端末において、カメラを用いて周囲の明るさを検出し、バックライトの自動調節を行う場合に、適切な輝度に迅速に照明可能とした構成として、互いに透過光の波長帯の異なる第１、第２のフィルタと、被写体から到来する光のうち第１、第２のフィルタの透過光を受光する第１、第２の受光素子を有する受光部と、第１、第２の受光素子で受光された光の入射強度を反映して画像データを作成する画像処理部と、画像データに基づいて画像を表示する表示部と、第１の受光素子で受光された入射光の強度を反映した輝度で照明箇所を照明する照明部を備えた構成が開示されている。
【０００８】
さらに、後記特許文献４には、カメラ付き携帯端末において、シャッタ速度、ゲイン値、測光評価値に基づいてバックライトの明るさを制御する構成が開示されている。このカメラ付き携帯端末において、カメラの露出信号を制御する信号に基づいて周囲の明るさを推測することで、検出器を設けずに、表示部のバックライト制御を行い、省電力化を図っている。
【０００９】
【特許文献１】特開２０００−３２４２３９号公報
【特許文献２】特開２００２−３４４５９８号公報
【特許文献３】特開２００３−２８９３６８号公報
【特許文献４】特開２００２−３００４４７号公報
【発明の開示】
【発明が解決しようとする課題】
【００１０】
上記した従来技術には、カメラを用いて周囲の明るさを検出する技術は開示されているものの、例えば、複数のカメラへの対応、あるいは、逆光等、ユーザの使用状況への対応に関する考慮を欠いている。
【００１１】
したがって、本発明の目的は、ユーザの使用状況へ対応可能とし、専用の受光素子・受光回路を実装することなく、表示部のバックライトの輝度を可変に調節可能とする装置及び方法を提供することにある。
【課題を解決するための手段】
【００１２】
本願で開示される発明は、前記目的を達成するため、概略以下の構成とされる。
【００１３】
本発明の一つのアスペクト（側面）に係る装置は、撮像手段から入力したデータに基づき明るさのデータを導出する光量計算手段と、明るさのデータと輝度設定データの対応を記憶した輝度設定記憶部と、前記導出された明るさのデータに基づき、輝度設定記憶部を検索して輝度設定データを取得する輝度検索手段と、を備え、前記輝度設定データにより、バックライトの輝度を調節し、表示装置の明るさを調節する。
【００１４】
本発明の他のアスペクト（側面）に係る装置は、第１の撮像手段と、第２の撮像手段を備え、前記第１及び第２の撮像手段からそれぞれ入力したデータに基づき、第１、第２の明るさデータをそれぞれ導出する光量計算手段と、明るさデータと輝度設定データの対応を記憶した輝度設定記憶部と、前記第１、第２の明るさデータのうち有効なデータを判定して選択し、前記選択された明るさのデータに基づき、前記輝度設定記憶部を検索して輝度設定データを取得する輝度検索手段と、を備え、前記輝度設定データにより、バックライトの輝度を調節し、表示装置の明るさを調節する。
【００１５】
本発明の他のアスペクト（側面）に係る方法は、撮像手段と、表示部と、前記表示部を照射するバックライトと、を備えた携帯端末のバックライト調節方法であって、
（Ａ１）明るさのデータと輝度設定データの対応を輝度設定記憶部に記憶しておき、
（Ａ２）前記撮像手段から入力したデータに基づき、明るさのデータを導出する工程と、
（Ａ３）前記導出された明るさのデータに基づき、前記輝度設定記憶部を検索して輝度設定データを取得する工程と、
（Ａ４）前記輝度設定データにより前記バックライトの輝度を調節し、前記表示部の明るさを調節する工程と、
を含む。
【００１６】
本発明のさらに他のアスペクト（側面）に係る方法は、複数の撮像手段と、表示部と、前記表示部を照射するバックライトと、を備えた携帯端末のバックライト調節方法であって、
（Ｂ１）明るさのデータと輝度設定データの対応を輝度設定記憶部に記憶しておき、
（Ｂ２）前記複数の撮像手段からそれぞれ入力したデータに基づき、複数の明るさデータをそれぞれ導出する工程と、
（Ｂ３）前記複数の明るさデータのうち有効なデータを判定して選択する工程と、
（Ｂ４）前記選択された明るさのデータに基づき、前記輝度設定記憶部を検索して輝度設定データを取得する工程と、
（Ｂ５）前記輝度設定データにより前記バックライトの輝度を調節し前記表示部の明るさを調節する工程と、
を含む。
【発明の効果】
【００１７】
本発明によれば、撮像手段としてのカメラを使用して周囲の明るさを測定する構成としたことで、専用の受光素子・受光回路の実装を不要としており、またバックライトの輝度の設定を任意に変更することができる。
【００１８】
また本発明によれば、複数の撮像手段からのデータに基づきバックライト調節を行うことで、逆光等への対応を可能としている。
【発明を実施するための最良の形態】
【００１９】
本発明を実施するための最良の形態について添付図面を参照して説明する。本発明の一実施の形態に係る装置は、カメラ等の撮像手段（１）から入力したデータに基づき、周囲の明るさのデータを導出する光量計算手段（２１）と、明るさのデータと輝度設定データの対応を記憶した輝度設定記憶部（３１）と、前記導出された明るさのデータに基づき、輝度設定記憶部を検索して輝度設定データを取得する輝度検索手段（２２）と、を備え、前記輝度設定データにより、バックライト（４２）の輝度を調節し、表示部（４１）の明るさを調節する。
【００２０】
本発明の他の実施の形態に係る装置は、第１の撮像手段（１）と、第２の撮像手段（５）を備え、前記第１及び第２の撮像手段からそれぞれ入力したデータに基づき、第１、第２の明るさデータをそれぞれ導出する光量計算手段（２１）と、明るさデータと輝度設定データの対応を記憶した輝度設定記憶部（３１）と、前記第１、第２の明るさデータのうち有効なデータを判定して選択し、前記選択された明るさのデータに基づき、前記輝度設定記憶部を検索して輝度設定データを取得する輝度検索手段（２２）と、を備え、前記輝度設定データにより、バックライト（４２）の輝度を調節し、表示部（４１）の明るさを調節する。
【実施例】
【００２１】
本発明の実施例について図面を参照して以下に説明する。図１は、本発明の第１の実施例の構成を示す図である。図１を参照すると、本実施例は、撮像手段としてのカメラ１（ＣＣＤカメラ）と、プログラム制御により動作するデータ処理装置２と、情報を記憶する記憶装置３と、表示装置としての液晶表示装置４とを含む。カメラ１からの撮像データはデジタルデータとしてデータ処理装置２に入力される。
【００２２】
液晶表示装置４は、表示を構成する表示部（表示パネル）４１と、表示部４１を照射する明るさを調整するバックライト４２を備えている。
【００２３】
記憶装置３は、バックライト４２の輝度の設定データを記憶している輝度設定記憶部３１を備えている。
【００２４】
データ処理装置２は、光量計算部２１と、輝度検索手段２２とを備えている。光量計算部２１は、カメラ１の入力信号から明るさのデータを抽出する。
【００２５】
輝度検索手段２２は、光量計算部２１で抽出した明るさデータをキーにして、輝度設定記憶部３１に記憶された輝度設定データを検索する。
【００２６】
図２は、本発明の第１の実施例の動作を説明するための流れ図である。図１および図２を参照して、本実施例の動作について詳細に説明する。
【００２７】
カメラ１からの信号は、データ処理装置２に入力される（ステップＡ１）。カメラ１から入力される信号は、カメラ１の構成によってＹＵＶやＲＧＢ等のいくつかの方式が考えられるが、本実施例では、ＲＧＢのデータとする。
【００２８】
光量計算部２１では、カメラ１から入力されたデータから明るさのデータを計算する。（ステップＡ２）。明るさのデータの計算については、各種手法が用いられるが、本実施例では、例えば撮影画像範囲の中央の位置のグリーン（Ｇ）の明るさのデータを使用することで実現する。
【００２９】
輝度検索手段２２は、光量計算部２１において算出された明るさのデータをキーとして輝度設定記憶部３１から、輝度設定データを検索する（ステップＡ３）。
【００３０】
輝度設定記憶部３１は、任意に設定可能な輝度の設定データが記憶されている。例えば、周囲が明るい時には、バックライト４２を明るくし、周囲が暗い時には、バックライト４２を暗くする等、周囲の明るさに応じて最適な表示ができるような輝度の設定データを記憶しておく。輝度設定記憶部３１が可変に設定自在とされていることは、本発明の特徴の一つをなしている。
【００３１】
データ処理装置２は、検索された輝度設定データから、液晶表示装置４の輝度を設定する（ステップＡ４）。例えば、バックライト４２に、定電流源を用い、電流値を調整することで、輝度調節を実現する。
【００３２】
次に、具体例を用いて、本実施例の動作を説明する。図３は、本実施例の動作を説明するための説明図である。
【００３３】
カメラ１からのカメラデータＢ１は、ＲＧＢの１６ビットの情報として入力される（ステップＡ１）。ＲＧＢ＝（１Ｆｈ、２Ｆｈ，１Ｆｈ）（ただし、ｈはヘキサデシマル表示を表す）。カメラデータＢ１は、光量計算部２１により、明るさデータＢ２として、画面中央の位置のグリーン（Ｇ）のデータ（３Ｆｈ）を抽出する（ステップＡ２）。
【００３４】
輝度検索手段２２は、明るさデータＢ２をキーとして、輝度設定記憶部３１を検索する（ステップＡ３）。
【００３５】
検索した結果、輝度設定記憶部３１には、明るさデータ”３Ｆｈ”が輝度設定データ”１８［ｍＡ］”として登録されている結果を得る。
【００３６】
データ処理装置２は、バックライト４２の定電流源を”１８［ｍＡ］”に設定し、輝度調節を実現する（ステップＡ４）。
【００３７】
本実施例の作用効果について説明する。
【００３８】
本実施例によれば、撮像手段としてのカメラを使用して周囲の明るさを測定する構成としたことで、専用の受光素子・受光回路の実装を不要としている。
【００３９】
また本実施例によれば、任意のバックライトの輝度設定データを保存しておく記憶装置を備えたことにより、携帯端末の動作によってバックライトの輝度の設定を変更することができる。
【００４０】
次に、本発明の第２の実施例について図面を参照して詳細に説明する。図４は、本発明の第２の実施例の構成を示す図である。
【００４１】
図４を参照すると、本発明の第２の実施例においては、撮像手段としてのカメラが、図１に示した前記第１の実施例におけるカメラ１の構成に加え、カメラ５を有する。例えば、カメラ１は、液晶表示装置４の表示面向きに、カメラ５は、液晶表示装置４の表示とは反対向きに実装されているものとする。
【００４２】
図５は、本発明の第２の実施例の動作を説明するための流れ図である。図４および図５を参照して、本発明の第２の実施例の動作を説明する。
【００４３】
本発明の第２の実施例におけるカメラ１およびカメラ５からの入力信号は、図１に示した前記第１の実施例と同じである（ステップＡ１、Ａ３）。
【００４４】
光量計算部２１は、カメラ１とカメラ５の両方からデータが入力される。入力されたカメラのデータを、輝度データに変換する手法は、図１に示した前記第１の実施例と同じである（ステップＡ２、Ａ４）。
【００４５】
本発明の第２の実施例では、カメラ１からのデータとカメラ５からのデータのどちらを有効なデータとして用いるかについて判定処理が行われる（ステップＡ５）。
【００４６】
例えば、液晶表示装置４の表示面向きにあるカメラ１から抽出された明るさデータが、液晶表示装置４の表示とは反対向きにあるカメラ５から抽出された明るさデータに比べてほぼ同じであるか、あるいは、より明るい場合には、カメラ１の明るさデータを有効データとして、輝度検索手段２２のキーに使用する。
【００４７】
一方、カメラ１の明るさデータに比べ、カメラ５の明るさデータの方が十分に大きい場合には、携帯電話の表示面が逆光下にあるものとして扱い、カメラ５の明るさデータを有効データ（検索キー）として扱う。
【００４８】
以降の処理は、前記第１の実施例と同じであるため、説明は省略する。
【００４９】
以上のように、本発明の第２の実施例では、撮像手段として実装された２個のカメラ（カメラ１およびカメラ５）の明るさデータを比較することで、逆光下では表示面が暗い場合でも、バックライトの輝度を明るく設定する等、より多彩にバックライト制御を実現することができる。
【００５０】
以上本発明を上記実施例に即して説明したが、本発明は上記実施例の構成にのみ限定されるものでなく、本発明の範囲内で当業者であればなし得るであろう各種変形、修正を含むことは勿論である。
【図面の簡単な説明】
【００５１】
【図１】本発明の第１の実施例の構成を示す図である。
【図２】本発明の第１の実施例の動作を説明するための流れ図である。
【図３】本発明の第１の実施例の動作を説明するための図である。
【図４】本発明の第２の実施例の構成を示す図である。
【図５】本発明の第２の実施例の動作を説明するための流れ図である。
【符号の説明】
【００５２】
１  カメラ（撮像手段）
２  データ処理装置
３  記憶装置
４  液晶表示装置
５  カメラ（撮像手段）
２１  光量計算部
２２  輝度検索手段
３１  輝度設定記憶部
４１  表示部
４２  バックライト
【図１】
2005286417.tif 000003
【図２】
2005286417.tif 000004
【図３】
2005286417.tif 000005
【図４】
2005286417.tif 000006
【図５】
2005286417.tif 000007